(57)【特許請求の範囲】
【請求項１】
書籍を撮影する撮影手段と、
前記撮影手段が撮影した書籍のうち販売に関する情報を出力する対象の書籍を指定するためのガイドを出力するガイド出力手段と、
前記ガイドが位置付けられた背表紙の書籍を前記対象の書籍として、前記撮影手段が撮影した画像から前記対象の書籍の背表紙のみを切り出してコード化した情報に基づいて前記対象の書籍を特定する特定手段と、
前記特定手段が特定した書籍の前記販売に関する情報を出力する販売関連情報出力手段と、
を有することを特徴とする書籍情報出力装置。
【請求項２】
前記ガイド出力手段は、前記撮影手段が撮影している書籍の背表紙に前記ガイドを重畳して表示するガイド表示手段で構成されていることを特徴とする請求項１に記載の書籍情報出力装置。
【請求項３】
前記ガイド出力手段は、前記ガイドを前記書籍の背表紙に照射するガイド照射手段で構成されていることを特徴とする請求項１に記載の書籍情報出力装置。
【請求項４】
前記販売関連情報出力手段は、前記特定手段が特定した書籍の販売に関する情報を表示する販売関連情報表示手段として構成されていることを特徴とする請求項１乃至３のうちいずれか一項に記載の書籍情報出力装置。
【請求項５】
前記販売関連情報出力手段は、前記特定手段が特定した書籍の販売に関する情報を音声出力する販売関連情報音声出力手段として構成されていることを特徴とする請求項１乃至３のうちいずれか一項に記載の書籍情報出力装置。
【請求項６】
前記特定手段は、
前記ガイドが位置付けられた背表紙の書籍を前記対象の書籍として、前記撮影手段が撮影した画像から当該書籍の背表紙のみを切り出す切り出し手段と、
前記切り出し手段が切り出した背表紙の画像をコード化するコード化手段と、
前記コード化手段がコード化した背表紙の画像に対応する書籍情報をデータベースから取得する書籍情報取得手段と、を有し、
前記販売関連情報出力手段は、前記書籍情報取得手段が取得した前記書籍情報に基づいて前記撮影手段が撮影した書籍の販売に関する情報を出力する、
ことを特徴とする請求項１乃至５のうちいずれか一項に記載の書籍情報出力装置。
【請求項７】
書籍を撮影する撮影手段と、
前記撮影手段が撮影した書籍のうちユーザの嗜好と合致するかに関する情報を出力する対象の書籍を指定するためのガイドを出力するガイド出力手段と、
前記ガイドが位置付けられた背表紙の書籍を前記対象の書籍として、前記撮影手段が撮影した画像から前記対象の書籍の背表紙のみを切り出してコード化した情報に基づいて前記対象の書籍を特定する特定手段と、
前記特定手段が特定した書籍の前記ユーザの嗜好と合致するかに関する情報を出力する嗜好関連情報出力手段と、
を有することを特徴とする書籍情報出力装置。
【発明の詳細な説明】
【技術分野】
【０００１】
本発明は、本発明は、書店の書棚に陳列されている書籍の情報を表示する書籍情報出力装置に関する。
【背景技術】
【０００２】
毎年おびただしい数の新刊書籍が発行され、書店の書棚等に載置できる書籍数には限りがあるため、書店では書籍の入れ替えを頻繁に行っている。我が国では、書籍に関して委託販売制度が採用されており、同制度の下では、一定期間書棚に載置したが販売に至らなかった書籍は、取次店に返品することができる。そのため、上記書籍の入れ替えに当たっては、書棚に配置しても販売の見込みが薄い書籍を、売れ行きが好調な書籍、すなわち、販売の見込みが大きい書籍と入れ替えている。
【０００３】
従来、書籍の入れ替えに当たっては、書店の仕入れ担当者が、各書籍の売れ行きや自己の書店書棚の在庫情報を参考にしながら、経験に基づき、返品とする書籍及び注文する書籍を決定していた。ところで、一日に発刊される新刊書籍は２００ないし３００冊、１年間ではおよそ１０万の新刊書籍が発刊されており、この中から売れ筋の商品を見極め、それと入れ替えるべき返品書籍を決定することは非常に困難であり、販売の機会を逸したり、販売見込みの少ない在庫を発生させたりしがちであるため、より収益性の高い書店に成長させることが困難であった。
【０００４】
上記事情に鑑み、本出願人は特許文献１に記載されている書籍の注文及び返品支援システムを提案している。特許文献１に記載された書籍の注文及び返品支援システムは、書棚をデジタルカメラ等で撮影して、書籍の背表紙画像をコード化し、コード化データと背表紙マスタデータベースとを照合して対象書籍の書籍コードを抽出する。そして、撮影した書棚のジャンルに基づいて現在時点において書棚に陳列されている書籍のうち販売が見込めない書籍、及びこれと入れ替えるべき売れる可能性の高い書籍を選定することが記載されている。
【先行技術文献】
【特許文献】
【０００５】
【特許文献１】特開２０１３−１０９５０６号公報
【発明の概要】
【発明が解決しようとする課題】
【０００６】
特許文献１に記載されている書籍の注文及び返品支援システムの場合は、基本的にバッチ処理により販売が見込めない書籍（返品すべき書籍）等を選定している。しかしながら、バッチ処理の場合、設定した時間等の特定のタイミングでしか情報が出力されないため、例えば店員が書棚の近辺にいるときに返品すべき書籍の情報を得ることができなかった。そのため、店員は、返品すべき書籍の情報が出力されたタイミングで改めて店内から当該書籍を探索して、書棚から抜き取る等の作業をしなければならないため、店員の負担が大きく作業効率が良くないという問題があった。
【０００７】
また、書店において書籍を購入する者（顧客）においても、書店に陳列されている多数の書籍から自分の嗜好に合った書籍を探すのは困難である。即ち、書棚に陳列された状態で、背表紙等から自分の嗜好に合うか否かを判断するのは困難であった。例えば、店内に書籍を検索する端末等が設置されている書店もあるが、その端末を操作する必要があり、また、作者やタイトル等まで指定しないと検索結果が多くなってしまうので、単にジャンル等のおおまかな条件で検索する場合には使い勝手が良くない。
【０００８】
本発明は、上記のような問題点を解決しようとするものであり、効率的に書籍に関する情報を得ることができる書籍情報出力装置を提供することを課題とする。
【課題を解決するための手段】
【０００９】
上記課題を解決するためになされた請求項１に記載された発明は、書籍を撮影する撮影手段と、前記撮影手段が撮影した書籍のうち販売に関する情報を出力する対象の書籍を指定するためのガイドを出力するガイド出力手段と、前記ガイドが位置付けられた背表紙の書籍を前記対象の書籍として、前記撮影手段が撮影した画像から前記対象の書籍の背表紙のみを切り出してコード化した情報に基づいて前記対象の書籍を特定する特定手段と、
前記特定手段が特定した書籍の前記販売に関する情報を出力する販売関連情報出力手段と、を有することを特徴とする書籍情報出力装置である。
【００１０】
請求項２に記載の発明は、請求項１に記載の発明において、前記ガイド出力手段は、前記撮影手段が撮影している書籍の背表紙に前記ガイドを重畳して表示するガイド表示手段で構成されていることを特徴とするものである。
【００１１】
請求項３に記載の発明は、請求項１に記載の発明において、前記ガイド出力手段は、前記ガイドを前記書籍の背表紙に照射するガイド照射手段で構成されていることを特徴とするものである。
【００１２】
請求項４に記載の発明は、請求項１乃至３のうちいずれか一項に記載の発明において、前記販売関連情報出力手段は、前記特定手段が特定した書籍の販売に関する情報を表示する販売関連情報表示手段として構成されていることを特徴とするものである。
【００１３】
請求項５に記載の発明は、請求項１乃至３のうちいずれか一項に記載の発明において、前記販売関連情報出力手段は、前記特定手段が特定した書籍の販売に関する情報を音声出力する販売関連情報音声出力手段として構成されていることを特徴とするものである。
【００１４】
請求項６に記載の発明は、請求項１乃至５のうちいずれか一項に記載の発明において、前記特定手段は、前記ガイドが位置付けられた背表紙の書籍を前記対象の書籍として、前記撮影手段が撮影した画像から当該書籍の背表紙のみを切り出す切り出し手段と、前記切り出し手段が切り出した背表紙の画像をコード化するコード化手段と、前記コード化手段がコード化した背表紙の画像に対応する書籍情報をデータベースから取得する書籍情報取得手段と、を有し、前記販売関連情報出力手段は、前記書籍情報取得手段が取得した前記書籍情報に基づいて前記撮影手段が撮影した書籍の販売に関する情報を出力する、ことを特徴とするものである。
【００１５】
請求項７に記載の発明は、書籍を撮影する撮影手段と、前記撮影手段が撮影した書籍のうちユーザの嗜好と合致するかに関する情報を出力する対象の書籍を指定するためのガイドを出力するガイド出力手段と、前記ガイドが位置付けられた背表紙の書籍を前記対象の書籍として、前記撮影手段が撮影した画像から前記対象の書籍の背表紙のみを切り出してコード化した情報に基づいて前記対象の書籍を特定する特定手段と、前記特定手段が特定した書籍の前記ユーザの嗜好と合致するかに関する情報を出力する嗜好関連情報出力手段と、を有することを特徴とする書籍情報出力装置である。
【発明の効果】
【００１６】
以上説明したように請求項１に記載の発明によれば、ガイドを出力して、１冊の書籍を特定し、その書籍の販売に関する情報を出力するので、特定の書籍の販売に関する情報を出力することができる。したがって、店員等がリアルタイムに書籍の販売に関する情報を得ることができるので効率的に書籍に関する情報を得ることができる。
【００１７】
請求項２に記載の発明によれば、ガイド出力手段が、撮影手段が撮影している書籍にガイドを重畳して表示するガイド表示手段で構成されているので、液晶ディスプレイ等の表示手段に表示された画像を通して書籍の販売に関する情報を得たい書籍を特定することができる。
【００１８】
請求項３に記載の発明によれば、ガイド出力手段が、ガイドを書籍に照射するガイド照射手段で構成されているので、表示手段等がなくても書籍の販売に関する情報を得たい書籍を特定することができる。
【００１９】
請求項４に記載の発明によれば、販売関連情報出力手段が、特定手段が特定した書籍の販売に関する情報を表示する販売関連情報表示手段として構成されているので、店員等に対して販売に関する情報を画面表示により通知することができる。
【００２０】
請求項５に記載の発明よれば、販売関連情報出力手段は、特定手段が特定した書籍の販売に関する情報を音声出力する販売関連情報音声出力手段として構成されているので、店員等に対して販売に関する情報を音声により通知することができる。
【００２１】
請求項６に記載の発明よれば、撮影手段が撮影した画像からガイドに基づいて１冊の書籍画像を切り出し、その切り出した書籍画像をコード化し、コード化した書籍画像に対応する書籍情報をデータベースから取得する。そして、販売関連情報出力手段は、書籍情報取得手段が取得した書籍情報に基づいて撮影手段が撮影した書籍の販売に関する情報を出力する。従って、コード化によりデータベースとの通信時間を短縮することができる。また、コード化するのは１冊分のみであるので、コード化処理の負荷を軽減することができる。
【００２２】
請求項７に記載の発明によれば、ガイドを出力して、１冊の書籍を特定し、その書籍がユーザの嗜好と合致するかに関する情報を出力するので、ユーザの嗜好と合致するか否かを出力することができる。したがって、ユーザ等が容易に書棚から自身の嗜好合致する書籍を見つけることができる。
【図面の簡単な説明】
【００２３】
【図１】本発明の第１の実施形態にかかる書籍情報出力装置を含む書籍情報取得システムの概略構成図である。
【図２】図１に示されたスマートフォンの機能構成図である。
【図３】図１に示されたスマートフォンで書籍の背表紙を撮影する際の説明図である。
【図４】図１に示されたスマートフォンの動作のフローチャートである。
【図５】本発明の第２の実施形態にかかる書籍情報出力装置で書籍の背表紙を撮影する際の説明図である。
【図６】図５に示されたスマートフォンの機能構成図である。
【図７】本発明の第３の実施形態にかかる書籍情報出力装置の動作のフローチャートである。
【図８】図７に示された書籍情報出力装置の他の構成を示した概略構成図である。
【発明を実施するための形態】
【００２４】
（第１実施形態）
本発明の第１の実施形態にかかる書籍情報出力装置を図１乃至図４を参照して説明する。図１は、本発明の第１の実施形態にかかる書籍情報出力装置を含む書籍情報取得システムの概略構成図である。
【００２５】
図１に示した書籍情報取得システムは、書籍情報出力手段としてのスマートフォン１と、サーバ２と、を有している。そして、スマートフォン１とサーバ２とは、インターネット３を介して互いに通信可能に接続されている。なお、図１ではスマートフォン１は１つしか記載されていないが、勿論複数のスマートフォン１が接続可能となっている。
【００２６】
サーバ２は、図１に示したように、書籍情報データベース２ａと、販売情報データベース２ｂと、を有する所謂データベースサーバである。書籍情報データベース２ａは、書籍コードと、その書籍の書籍名、出版社、価格、著者、ジャンル、販売開始日等が関連付けられて蓄積されている。販売情報データベース２ｂは、書籍コードとその書籍コードに対応する書籍の販売数や在庫数とが販売開始日から１日ごとに関連付けて蓄積されている。
【００２７】
なお、販売数や在庫数は、１日毎や１月毎など所定期間ごとの販売数であり、複数種類（前記した１日毎と１月毎等）が集計されていてもよい。また、販売数や在庫数は、全国規模で集計してもよいし、当該店舗単位や複数のチェーン店単位等での集計でもよい。
【００２８】
書籍コードとは、書籍固有に付されるコードであり、例えば書籍の裏表紙等にバーコード等で印刷されている。
【００２９】
サーバ２は、スマートフォン１から送信されるコード化情報に基づいて、書籍情報データベース２ａを検索し、該当する書籍コードを特定する。そして、当該書籍コードに基づいて、販売情報データベース２ｂを検索し、当該書籍コードに対応する販売数や在庫の情報を書籍情報としてスマートフォン１に出力する。なお、この書籍情報に、書籍コード、書籍名、出版社、価格、著者、ジャンル、販売開始日等の書籍情報データベース２ａで検索された情報を含めてもよい。
【００３０】
スマートフォン１は、図２に示したように、撮影手段１１と、切り出し手段１２と、コード化手段１３と、書籍情報取得手段としての通信手段１４と、ガイド出力手段としてのガイド生成手段１５と、解析手段１６と、を有している。スマートフォン１は、更に、ガイド表示手段（ガイド出力手段）、販売関連情報表示手段（販売関連情報出力手段）としての表示手段１７と、販売関連情報音声出力手段（販売関連情報出力手段）としての音声出力手段１８と、を有している。
【００３１】
なお、本実施形態では、書籍情報出力装置としてスマートフォン１で説明するが、スマートフォン１に限らず、タブレット型端末等の撮影手段と表示手段や音声出力手段を有する機器であればよい。
【００３２】
撮影手段１１は、スマートフォン１に搭載されているカメラモジュール等であり、ＣＣＤ（Charge Coupled Device）やＣＭＯＳ（Complementary Metal Oxide Semiconductor）センサ等の撮像素子やレンズ等から構成されている。
【００３３】
切り出し手段１２は、撮影手段１１が撮影した画像からガイド生成手段１５により生成されたガイドに背表紙が位置する書籍の背表紙画像を切り出す。
【００３４】
コード化手段１３は、切り出し手段１２で切り出された背表紙画像（書籍の画像）をコード化し、コード化情報を出力する。コード化は公知の種々の手法が採用でき、背表紙画像の切り出し及び書籍画像コード化そのものを発明の主題とするわけではないので、その詳細については割愛する。
【００３５】
通信手段１４は、スマートフォンが有している例えばＬＴＥ（Long Term Evolution）やＷｉ−Ｆｉ等の無線通信規格にかかる通信機能を有している。通信手段１４は、サーバ２に対してコード化手段１３から出力したコード化情報を送信する。そして、通信手段１４は、サーバ２から送信されたコード化情報に対応する書籍情報を受信する。即ち、通信手段１４は、コード化手段１３がコード化した背表紙画像に対応する書籍情報をデータベースから取得している。
【００３６】
切り出し手段１２、コード化手段１３、通信手段１４は、ガイドにより指定された書籍を特定する特定手段として機能する。
【００３７】
ガイド生成手段１５は、切り出し手段１２が背表紙画像を切り出す書籍をユーザが指定するためのガイドを生成して表示手段１７に表示させる。即ち、ガイド生成手段１５は、ユーザが特定の書籍を指定するためのガイドを出力する。ガイドの表示例を図３を参照して説明する。
【００３８】
図３は、複数の書籍が陳列されている書棚１００と、それを撮影しているスマートフォン１を示した図である。即ち、撮影手段１１は所定の範囲の書籍を撮影している。図３において、ユーザは、書棚１００に陳列されている書籍Ａの返品の要否を知りたいとする。このとき、スマートフォン１の表示手段１７には、表示手段１７の横方向（短手方向）中央から縦方向（長手方向）に沿ってガイドＧ１が表示される。
【００３９】
ユーザは、ガイドＧ１を返品の要否を知りたい書籍Ａの背表紙の横方向略中央に合わせるように撮影手段１１（スマートフォン１）を移動させる。そして、切り出し手段１２は、ガイドＧ１が位置する背表紙の境界（輪郭）を検出して背表紙画像を切り出す。
【００４０】
解析手段１６は、通信手段１４が受信した書籍情報を解析する。具体的には、受信した書籍情報に基づいて、その書籍情報が示す書籍を返品すべきか否かを判断する。判断基準は、例えば、売り上げが所定期間０で在庫があるものを返品する書籍と判断する。また、在庫の期間を考慮してもよい。そして、解析手段１６は、解析結果（判断結果）を表示手段１７や音声出力手段１８に出力する。
【００４１】
表示手段１７は、スマートフォン１の液晶ディスプレイ等が対応する。表示手段１７には、図３に示したように、撮影手段１１で撮影された画像（書籍の画像）にガイドＧ１が重畳して表示される。また、表示手段１７は、解析手段１６が解析した結果（返品の要否）を販売関連情報として表示してもよい。なお、販売関連情報には、サーバ２から受信した書籍名、出版社、価格、著者、ジャンル、販売開始日等を含めてもよい。
【００４２】
音声出力手段１８は、音声生成手段や、アンプ、スピーカ等からなり、解析手段１６が解析した解析結果を販売関連情報として所定の音声メッセージや電子音等に変換して出力する。
【００４３】
図２に示した各手段のうち、切り出し手段１２、コード化手段１３、ガイド生成手段１５、解析手段１６は、スマートフォン１のアプリケーションプログラム（アプリ）として構成すればよい。
【００４４】
次に、上述した構成のスマートフォン１の動作を図４のフローチャートを参照して説明する。
【００４５】
まず、ステップＳ１において、撮影手段１１により撮影を行い（開始し）ステップＳ２に進む。ユーザは、対象とする書籍の背表紙の幅方向中央近傍にガイドＧ１を位置付けるように撮影手段１１（スマートフォン１）を向ける。
【００４６】
次に、ステップＳ２において、切り出し手段１２により撮影手段１１が撮影した画像からガイドＧ１が位置付けられた書籍の背表紙画像を切り出してステップＳ３に進む。切り出しタイミングは、ユーザがシャッターボタン等を操作するようにしてもよいし、切り出し手段１２が切り出し対象を特定できた時点で自動的に行うようにしてもよい。なお、切り出し対象の書籍は、例えば図３に示したように輪郭部分を強調表示してユーザに通知するようにしてもよい。または色を変更するようにしてもよい。また、切り出しがうまくいかない場合はエラーメッセージを表示手段１７に表示するようにしてもよい。
【００４７】
次に、ステップＳ３において、コード化手段１３により切り出し手段１２で切り出した背表紙画像をコード化してステップＳ４に進む。続いてステップＳ４において、通信手段１４によりコード化手段１３が出力したコード化情報をサーバ２に送信する。
【００４８】
サーバ２では、スマートフォン１から送信されたコード化情報に基づいて、書籍情報データベース２ａを検索し、該当する書籍コードを特定する。そして、当該書籍コードに基づいて、販売情報データベース２ｂを検索し、当該書籍コードに対応する書籍の販売数や在庫の情報を書籍情報としてスマートフォン１に出力する。
【００４９】
次に、ステップＳ５において、通信手段１４によりサーバ２から送信された書籍情報を受信する。続いて、ステップＳ６において、解析手段１６により書籍情報を解析する。続いて、ステップＳ７において、音声出力手段１８により、解析手段１６による解析結果を販売関連情報として出力する。例えば、対象とする書籍が返品を要する場合は「ピッ」という電子音、返品を要しない場合は「ブー」という電子音を出力する。または、対象とする書籍が返品を要する場合にのみ「返品してください」といった音声メッセージを出力するようにしてもよい。
【００５０】
また、ステップＳ７では、音声出力手段１８による出力とともに、表示手段１７に販売関連情報を表示してもよい。例えば、返品を要する場合は、「返品してください」といったメッセージを出力する。或いは、返品を要する場合と要しない場合とで、○×等の表示や当該書籍の色を変更する等としてもよい。
【００５１】
次に、ステップＳ８において、アプリの終了等により処理終了が指示されたか否かを判断し、終了する場合（ＹＥＳの場合）は、本フローチャートを終了し、終了しない場合（ＮＯの場合）はステップＳ１に戻る。
【００５２】
本実施形態によれば、表示手段１７にガイドＧ１を表示して、１冊の書籍を特定し、その書籍を返品するか否かを音声出力手段１８から出力するので、特定の書籍に対して返品の要否をユーザに音声により通知することができる。したがって、店員等がリアルタイムに返品の要否を知ることができるので返品作業の効率化が図れる。
【００５３】
また、ガイドＧ１が撮影手段１１が撮影した画像に重畳して表示手段１７に表示しているので、液晶ディスプレイ等の表示手段１７に表示された画像を通して返品するか否かを知りたい書籍を指定することができる。
【００５４】
また、撮影手段１１が撮影した画像から１冊の書籍画像を切り出し手段１２で切り出し、その切り出した書籍画像をコード化手段１３でコード化し、コード化した書籍画像に対応する書籍情報をサーバ２から取得する。そして、解析手段１６は、取得した書籍情報に基づいて撮影手段が撮影した書籍を返品の要否を音声出力手段１８に出力させる。従って、コード化によりデータベースとの通信時間を短縮することができる。また、コード化するのは１冊分のみであるので、コード化処理の負荷を軽減することができる。
【００５５】
なお、ガイドＧ１は、図３に示したような点線に限らず、実線でもよいし、表示手段１７の表示範囲の中心に単なる点として表示してもよい。また、点滅させてもよい。即ち、対象とする書籍をユーザが指定（特定）できるような表示形態であれば特に限定されない。
【００５６】
また、上述した説明では、返品の要否を音声出力手段１８や表示手段１７から出力するようにしていたが、例えば、売り上げが多い書籍に対して注文するような指示を出力するなど、返品に限らずサーバ２から受信した販売数や在庫に基づく情報を出力するようにしてもよい。
【００５７】
（第２実施形態）
次に、本発明の第２の実施形態を図５及び図６を参照して説明する。なお、前述した第１の実施形態と同一部分には、同一符号を付して説明を省略する。
【００５８】
本実施形態にかかる書籍情報出力手段１Ａは、図５に示すように、ガイドＧ２がレーザポインタ等により直接書籍の背表紙に照射されて表示される形態である。従って、表示手段１７は必須ではなくなる。
【００５９】
本実施形態にかかる書籍情報出力手段１Ａの機能構成図を図６に示す。図６の撮影手段１１、切り出し手段１２、コード化手段１３、通信手段１４、解析手段１６、音声出力手段１８は、第１の実施形態と同様である。また、本実施形態の書籍情報出力手段１Ａの動作は、図４の示したフローチャートと同様である。
【００６０】
ガイド生成手段１５Ａは、図５に示したように、ガイドＧ２がレーザポインタやプロジェクタ等の直接書籍の背表紙に表示される機器等で構成されている。即ち、ガイド生成手段１５Ａは、ガイドを書籍に照射するガイド照射手段で構成されている。
【００６１】
本実施形態においては、切り出し手段１２は、例えばガイド生成手段１５Ａから照射されたレーザ光の光点を撮影手段１１が撮影した画像から認識することで切り出し対象とする書籍を特定する。
【００６２】
本実施形態によれば、ガイド生成手段１５Ａが、ガイドＧ２を書籍に照射するレーザポンタ等で構成されているので、表示手段１７がなくても書籍の返品の要否を得たい書籍を特定することができる。
【００６３】
（第３実施形態）
次に、本発明の第３の実施形態を図７及び図８を参照して説明する。なお、前述した第１、第２の実施形態と同一部分には、同一符号を付して説明を省略する。
【００６４】
本実施形態における書籍情報出力装置の機能的構成は図２又は図６のいずれであってもよい。本実施形態において、解析手段１６には、予め書籍購入者（ユーザ）の嗜好を設定しておく、本実施形態では、一例として好みの書籍のジャンルを設定する。そして、サーバ２に対してコード化情報を送信し、サーバ２では、スマートフォン１から送信されたコード化情報に基づいて、書籍情報データベース２ａを検索し、該当する書籍コードを特定する。そして、当該書籍コードに基づいて、書籍情報データベース２ａに登録されている書籍のジャンルをスマートフォン１に出力する。解析手段１６は、サーバ２から送信されたジャンルと設定されているジャンルとを照合し、合致した場合はユーザの嗜好に合う書籍であると判断する。
【００６５】
本実施形態における書籍情報出力装置の動作を図７に示す。ステップＳ１〜Ｓ４は、図４と同様である。ステップＳ５Ａにおいては、サーバ２から通信手段１４が嗜好関連情報（ジャンル）を受信してステップＳ６Ａに進む。続いて、ステップＳ６Ａにおいて、解析手段１６により嗜好関連情報を解析する（設定されているジャンルに合致するか判断する）。続いて、ステップＳ７Ａにおいて、音声出力手段１８により、解析手段１６による解析結果を出力する。例えば、対象とする書籍がユーザの嗜好に合致する場合は「ピッ」という電子音、合致しない場合は「ブー」という電子音を出力する。または、書籍がユーザの嗜好に合致する場合にのみ「お勧めの本です」といった音声メッセージを出力するようにしてもよい。勿論、表示手段１７による表示で行ってもよい。
【００６６】
即ち、本実施形態では、表示手段１７や音声出力手段１８が、特定手段が特定した書籍がユーザの嗜好と合致するかに関する情報を出力する嗜好関連情報出力手段として機能する。
【００６７】
また、本実施形態は、図８に示したように、サーバ２に嗜好情報データベース２ｃを有するようにしてもよい。嗜好情報データベース２ｃは、複数のユーザの書籍の嗜好（好みのジャンル等）が登録されているデータベースである。この嗜好情報データベース２ｃへの嗜好の登録は、スマートフォン１に限らず、他のパソコン等の端末から行ってもよい。図８のようにすることで、書籍情報出力装置には解析手段１６は不要となる。
【００６８】
また、嗜好情報データベース２ｃにユーザが購入した書籍から好みのジャンルを推測するような機能を持たせることで、ユーザが好みのジャンル等の嗜好を登録しなくても嗜好関連情報を出力することができる。
【００６９】
本実施形態によれば、ガイドを出力して、１冊の書籍を特定し、その書籍がユーザの嗜好と合致するかに関する情報を出力するので、ユーザの嗜好と合致するか否かを出力することができる。したがって、ユーザ等が容易に書棚から自身の嗜好合致する書籍を見つけることができる。
【００７０】
なお、上述した３つの実施形態では、返品を要する場合や嗜好に合致する場合に、音声や表示等により通知していたが、それに限らず、バイブレーション等の振動によって通知してもよい。即ち、販売関連情報出力手段、嗜好関連情報出力手段としてはバイブレーション機能等の振動手段も含まれる。
【００７１】
また、本発明は上記実施形態に限定されるものではない。即ち、当業者は、従来公知の知見に従い、本発明の骨子を逸脱しない範囲で種々変形して実施することができる。かかる変形によってもなお本発明の書籍情報出力装置の構成を具備する限り、勿論、本発明の範疇に含まれるものである。
【符号の説明】
【００７２】
１                 スマートフォン（書籍情報出力装置）
１Ａ               書籍情報出力装置
２                 サーバ
１１               撮影手段
１２               切り出し手段
１３               コード化手段
１４               通信手段（書籍情報取得手段）
１５、１５Ａ       ガイド生成手段（ガイド出力手段）
１６               解析手段
１７               表示手段（ガイド出力手段、ガイド表示手段、販売関連情報出力手段、販売関連情報表示手段、嗜好関連情報出力手段）
１８               音声出力手段（販売関連情報出力手段、販売関連情報音声出力手段、嗜好関連情報出力手段）
【図１】
0006623350.tif 000002
【図２】
0006623350.tif 000003
【図３】
0006623350.tif 000004
【図４】
0006623350.tif 000005
【図５】
0006623350.tif 000006
【図６】
0006623350.tif 000007
【図７】
0006623350.tif 000008
【図８】
0006623350.tif 000009